(57)【要約】      （修正有）【課題】ケースの内側に印刷を施すことを可能とすることで、印刷の品質を長期間保つことができるカードケースを提供する。【解決手段】カードケース１００は、収納部２００と、蓋部３００とによって全体が長方形のカードサイズに構成されており、収納部２００に蓋部３００を凹凸により嵌め込むことで、内部にカード収納用の空間が形成される。カードは、入口側リブ２２０に設けたカード挿入口２２２からケース内に挿入する。蓋部３００は、表板３１０に、貫通孔３１４、嵌合凸部３２４、嵌合凸部３３４、係合リブ３４２、３５２が設けられているものの、全体としては、ほぼ平坦な形状となっているため、表板３１０の裏面にも印刷を施することができる。【選択図】図１
0003224061.tif 000002
【実用新案登録請求の範囲】
【請求項１】
カードを収納するカードケースであって、
該カードケースは、収納部と蓋部を備えており、
前記収納部は、裏板の周囲に、入口側リブ，下側リブ，側面側リブをそれぞれ設けた箱状に形成されており、入口側リブにはカード挿入口が設けられており、
前記蓋部は、表板によって平板状に形成されており、
凹凸の嵌合によって、前記蓋部を前記収納部に取り付けたことを特徴とするカードケース。
【請求項２】
前記収納部の入口側リブ及び下側リブが、前記蓋部と凹凸によって嵌合したことを特徴とする請求項１記載のカードケース。
【請求項３】
前記収納部の側面側リブが、前記蓋部と段差により係合することを特徴とする請求項１又は２記載のカードケース。
【請求項４】
前記収納部の裏板及び前記蓋部の表板に、貫通孔を設けたことを特徴とする請求項１〜３のいずれか一項に記載のカードケース。
【請求項５】
前記収納部の裏板に、収納されたカードを取り出すための開口を設けたことを特徴とする請求項１〜４のいずれか一項に記載のカードケース。
【請求項６】
前記蓋部のケース内側の面に印刷を施したことを特徴とする請求項１〜５のいずれか一項に記載のカードケース。
【考案の詳細な説明】
【技術分野】
【０００１】
本考案は、定期券などの各種のカードを収納するカードケースの改良に関する。
【背景技術】
【０００２】
従来のカードケースとしては、例えば、下記特許文献１記載の「パスケース」がある。これは、夜間の視認性にすぐれ、交通事故から身を守るために役立つことを目的としたもので、ストラップのフック部材をバッグや衣服のベルト等に繋いで、パスケースを外部に吊り下げた状態とする。パスケースは、ケース本体部の内外両側にそれぞれ定期券収納部が形成され、ケース本体部とケースカバーとを折畳んだ状態を上記ホックで固定している。自動車のヘッドライトが上記パスケースの反射シートに当たると、その光は反射してドライバーに視認され、ドライバーの注意力を喚起する。上記反射シートは多数のマイクロプリズムを使用して形成されているので、反射角度が広く、また反射輝度も高く、これを視認することでドライバーは安全運転するようになり、歩行者の交通事故が防止される。
【先行技術文献】
【特許文献】
【０００３】
【特許文献１】実用新案登録第３１３０９０６号公報
【考案の概要】
【考案が解決しようとする課題】
【０００４】
ところで、上述した背景技術は、交通安全を目的としていることから、反射シートを設けているが、ケース自体の各種の印刷ができれば、多種多様なデザインのケースを提供することができる。しかし、その際に、印刷をケースの外側に行うと、せっかくの印刷が擦れて劣化してしまう恐れがある。
【０００５】
本考案は、かかる点に鑑みてなされたもので、ケースの内側に印刷を施すことを可能とすることで、印刷の品質を長期間保つことができるカードケースを提供することである。
【課題を解決するための手段】
【０００６】
本考案は、カードを収納するカードケースであって、該カードケースは、収納部と蓋部を備えており、前記収納部は、裏板の周囲に、入口側リブ，下側リブ，側面側リブをそれぞれ設けた箱状に形成されており、入口側リブにはカード挿入口が設けられており、前記蓋部は、表板によって平板状に形成されており、凹凸の嵌合によって、前記蓋部を前記収納部に取り付けたことを特徴とする。
【０００７】
主要な形態の一つによれば、前記収納部の入口側リブ及び下側リブが、前記蓋部と凹凸によって嵌合したことを特徴とする。他の形態によれば、前記収納部の側面側リブが、前記蓋部と段差により係合することを特徴とする。
【０００８】
更に他の形態によれば、前記収納部の裏板及び前記蓋部の表板に貫通孔を設けたことを特徴とする。あるいは、前記収納部の裏板に、収納されたカードを取り出すための開口を設けたことを特徴とする。更には、前記蓋部のケース内側の面に印刷を施したことを特徴とする。本考案の前記及び他の目的，特徴，利点は、以下の詳細な説明及び添付図面から明瞭になろう。
【考案の効果】
【０００９】
本考案によれば、カードケースを収納部と蓋部によって構成し、蓋部を平板状に形成することとしたので、カードケースの内側に印刷などによって各種表示を施すことができ、該表示の品質を長期間保つことができる。
【図面の簡単な説明】
【００１０】
【図１】本考案のカードケース一実施例を示す図である。(A)は本実施例のカードケースを分解して示し、組み立てた状態において矢印ＦＢ，ＦＣから見た様子を、図(B)，(C)にそれぞれ示す。
【図２】前記実施例の使用時の様子を示す図である。
【考案を実施するための形態】
【００１１】
以下、本考案を実施するための最良の形態を、実施例に基づいて詳細に説明する。
【実施例１】
【００１２】
図１(A)には、本実施例のカードケースが分解して示されており、組み立てた状態で矢印ＦＢ，ＦＣから見た様子が、それぞれ同図(B)，(C)に示されている。これらの図に示すように、カードケース１００は、収納部２００と、蓋部３００とによって全体が長方形のカードサイズに構成されており、収納部２００に蓋部３００を凹凸により嵌め込むことで、内部にカード収納用の空間が形成されるようになっている。蓋部３００の表示が見える側をケース表面とし、反対側をケース裏面とする。
【００１３】
これらのうち、収納部２００は全体が箱状に形成されており、ケース裏面側となる裏板２１０の周囲にリブが形成されている。具体的には、カードを挿入する入口側リブ２２０，その反対側の下側リブ２３０，側面に設けられている側面側リブ２４０，２５０が設けられている。
【００１４】
これらのうち、裏板２１０には、半長円状の開口２１２が下側リブ２３０の側に形成されている。また、入口側リブ２２０が設けられている隅に、後述するチェーンやストラップなどの貫通孔２１４が設けられている。
【００１５】
次に、入口側リブ２２０には、同図(B)に示すように、前記裏板２１０との間にカード挿入口２２２が形成されている。また、入口側リブ２２０の両端は、側面側リブ２４０，２５０にそれぞれ連続している。更に、入口側リブ２２０の内側には、一対の嵌合凹部２２４が形成されている。一方、下側リブ２３０には、その内側に一対の嵌合凹部２３４が形成されている。また、下側リブ２３０の中央付近には、前記開口２１２に連続する切欠き２３６が形成されている。側面側リブ２４０，２５０は、同図(B)，(C)に示すように、他のリブよりも多少肉厚に形成されており、段差２４２，２５２がそれぞれ形成されている。
【００１６】
次に、蓋部３００は、全体がほぼ平板状であって、ケース表面側となる表板３１０によって構成されている。表板３１０には、上述した貫通孔２１４に対応する位置に、貫通孔３１４が形成されている。また、表板３１０の長手方向の一端側には、上述した入口側リブ２２０の嵌合凹部２２４に嵌合する一対の嵌合凸部３２４が形成されており、他端側には、上述した下側リブ２３０の嵌合凹部２３４に対応する一対の嵌合凸部３３４が形成されている。また、側面には、上述した側面側リブ２４０，２５０の段差２４２，２５２に係合する係合リブ３４２，３５２がそれぞれ形成されている。
【００１７】
収納部２００の外側の角や、蓋部３００の外側の側面の角は、やや丸みを帯びた形状となっている。このため、収納部２００に蓋部３００を組み立てた状態では、全体が丸みを帯びた滑らかなケースとなる。
【００１８】
次に、組み立てる様子について説明する。収納部２００に対して蓋部３００を組み付けるときは、蓋部３００の表板３１０の嵌合凸部３２４，嵌合凸部３３４の一方、例えば嵌合凸部３２４を、前記嵌合凹部２２４に差し込むとともに、嵌合凸部３３４を抑え込んで前記嵌合凹部２３４に差し込むようにする。このとき、表板３１０は、多少変形して曲がるようになり、凹凸が嵌合する。このとき、表板３１０の側面の係合リブ３４２，３５２は、前記裏板２１０の側面側リブ２４０，２５０に設けた段差２４２，２５２にそれぞれ係合する。
【００１９】
このように、蓋部３００は、その周辺が収納部２００のリブ２２０，２３０，２４０，２５０にいずれも収まるようになり、全体として丸みを帯びたカードケース１００が得られる。このため、一度組み付けると、収納部２００から容易には蓋部３００が外れないため、収納したカードが紛失するなどが防止される。
【００２０】
定期券などのカード１０２は、図２(A)に示すように、入口側リブ２２０に設けたカード挿入口２２２からケース内に挿入する。カード挿入後、貫通孔２１４，３１４に、ボールチェーン１０４を通す。これにより、カードケース１００を傾けたときに、カード１０２がカード挿入口２２２から飛び出るなどの不都合が防止される。カード１０２を取り出すときは、ボールチェーン１０４を外すとともに、裏板２１０に設けた開口２１２に指を入れて、カード１０２を押すようにする。
【００２１】
ところで、本実施例においては、上述したように、蓋部３００は、表板３１０に、貫通孔３１４，嵌合凸部３２４，嵌合凸部３３４，係合リブ３４２，３５２が設けられれているものの、全体としては、ほぼ平坦な形状となっている。このため、表板３１０の表裏両面に印刷を施することができる。特に、表板３１０の裏面（ケース内側の面）に印刷を施すようにすると、表面に印刷を施した場合と比較して、擦れなどによる印刷物の劣化が生ずることがなく、印刷の品質を長期間保つことができるようになる。図２(C)には、印刷の一例が示されている。どのような印刷を施してもよいが、図示の例では、駅の案内看板を模した表示となっている。
【００２２】
＜他の実施例＞……本考案には数多くの実施例があり、以上の開示に基づいて多様に改変することが可能である。例えば、次のようなものも含まれる。
(1)前記実施例で示した寸法や形状は一例であり、適宜変更してよい。例えば、カードケース１００の全体の形状，開口２１２の形状など、適宜変更してよい。
(2)前記実施例では、ボールチェーン１０４の例を示したが、各種のタイプのストラップやコード，アクセサリなどに適用してよい。なお、ボールチェーン１０４及び貫通孔２１４，３１４は、不要であれば設けなくてもよい。
(3)カードケース１００の素材としては、例えばポリカーボネートが好適であるが、他の材料を用いてもよい。また、ケース全体を透明としてもよいが、着色を施してもよい。
(4)印刷は、蓋部３００側のみではなく、収納部２００側に施すようにしてもよい。印刷の代わりにシールなどによる表示を行うようにしてもよい。
(5)収納するカード１０２としては、定期券などが考えられるが、ゲームカード，名刺など各種のものに適用してよい。枚数も複数枚としてよい。
【産業上の利用可能性】
【００２３】
本考案によれば、カードケースを収納部と蓋部によって構成し、蓋部を平板状に形成することとしたので、カードケースの内側に印刷などによって各種表示を施すことができ、該表示の品質を長期間保つことができるので、各種のカードケースに好適である。
【符号の説明】
【００２４】
１００：カードケース
１０２：カード
１０４：ボールチェーン
２００：収納部
２１０：裏板
２１２：開口
２１４，３１４：貫通孔
２２０：入口側リブ
２２２：カード挿入口
２２４：嵌合凹部
２３０：下側リブ
２３４：嵌合凹部
２３６：切欠き
２４０，２５０：側面側リブ
２４２，２５２：段差
３００：蓋部
３１０：表板
３２４：嵌合凸部
３３４：嵌合凸部
３４２，３５２：係合リブ
【図１】
0003224061.tif 000003
【図２】
0003224061.tif 000004